【手続補正書】
【提出日】平成24年8月29日(2012.8.29)
【手続補正１】
【補正対象書類名】特許請求の範囲
【補正対象項目名】全文
【補正方法】変更
【補正の内容】
【特許請求の範囲】
【請求項１】
現像剤を収容する収容部と、
前記収容部から前記現像剤を排出する排出口と、
前記排出口を開閉する第１の開閉部材と、
を備えた現像剤カートリッジであって、
前記第１の開閉部材は、
前記排出口を開放し、被装着装置に対して固定する第１の位置と、前記第１の位置と異なる位置であって、前記排出口を閉塞し、前記被装着装置に対して着脱自在にする第２の位置と、前記第１及び第２の位置と異なる位置であって、前記排出口を閉塞し、前記被装着装置に対して固定する第３の位置と、
を有することを特徴とする現像剤カートリッジ。
【請求項２】
前記収容部は、両端が閉塞された筒状をなし、
前記排出口は、前記収容部の外周に形成され、
前記第２の位置は、前記外周における長手方向の略中央であることを特徴とする請求項１記載の現像剤カートリッジ。
【請求項３】
請求項１又は２記載の現像剤カートリッジは、更に、
前記第１の開閉部材に形成され、前記第１の位置で前記被装着装置と係合する第１の係合部と、
前記第１の開閉部材に形成され、前記第３の位置で前記被装着装置と係合する第２の係合部と、
を備えたことを特徴とする現像剤カートリッジ。
【請求項４】
前記第１の位置と前記第３の位置は、
前記第２の位置を挟んで対向していることを特徴とする請求項１〜３のいずれか１項に記載の現像剤カートリッジ。
【請求項５】
請求項１〜４のいずれか１項に記載の現像剤カートリッジは、更に、
前記外周に設けられ、前記収容部を固定又は着脱自在にする第１のラッチ部材と、
前記第１の開閉部材に設けられ、第１のラッチ部材と当接し、前記第２の位置から前記第１の位置への前記第１の開閉部材の移動を規制する第１のストッパ部材と、
を備えたことを特徴とする現像剤カートリッジ。
【請求項６】
前記第１の開閉部材は、更に、
第２のラッチ部材と、
前記第２のラッチ部材と当接することで、前記第２の位置から前記第３の位置への移動を規制する第２のストッパ部材と、
を有し、
前記第２の位置から前記第３の位置に移動するとき、前記第２のラッチ部材の解除により、前記第１の開閉部材が移動可能となるように構成されていることを特徴とする請求項１〜５のいずれか１項に記載の現像剤カートリッジ。
【請求項７】
請求項１〜６のいずれか１項に記載の現像剤カートリッジは、更に、
前記第３の位置において、前記第１の開閉部材と当接して前記第１の開閉部材の移動量を規制する第３のストッパ部材を備えたことを特徴とする現像剤カートリッジ。
【請求項８】
前記第１の開閉部材は、
前記収容部の長手方向に対して５０ｍｍ以上、１００ｍｍ以下の範囲で設けられていることを特徴とする請求項１〜７のいずれか１項に記載の現像剤カートリッジ。
【請求項９】
請求項４〜８のいずれか１項に記載の被装着装置は、
前記現像剤により現像対象画像を現像する現像装置本体であり、
請求項４〜８のいずれか１項に記載の現像剤カートリッジと、
前記現像剤カートリッジが装着された前記現像装置本体と、
を備えたことを特徴とする現像装置。
【請求項１０】
請求項９記載の現像装置は、更に、
前記現像剤カートリッジから排出された前記現像剤を受け入れる受け入れ口と、
前記第１の開閉部材と連動して移動し、前記受け入れ口を開閉する第２の開閉部材と、
を備えたことを特徴とする現像装置。
【請求項１１】
前記第２の開閉部材は、
前記第１の開閉部材の前記第３の位置への移動と非連動になっていることを特徴とする請求項９又は１０記載の現像装置。
【請求項１２】
請求項９〜１１のいずれか１項に記載の現像装置は、更に、
前記第１の係合部と係合する第３の係合部と、
前記第２の係合部と係合する第４の係合部と、
を備えたことを特徴とする現像装置。
【請求項１３】
請求項９〜１２のいずれか１項に記載の現像装置は、更に、
前記第１の開閉部材に設けられ、前記第１のラッチ部材を前記第１のストッパ部材から解除する第３のラッチ部材と、
前記第２の開閉部材に設けられ、前記第１のラッチ部材を前記第１のストッパ部材から解除する第１の解除部と、
を備え、
前記第３のラッチ部材は、
前記第２の位置において、前記第１のラッチ部材と前記第１の解除部との間に配置され、前記第３のラッチ部材が前記第１の解除部の押圧により、前記第１のラッチ部材を押圧し、前記第１のラッチ部材を前記第１のストッパ部材から解除することを特徴とする現像装置。
【請求項１４】
請求項９〜１３のいずれか１項に記載の現像装置は、更に、
第２の開閉部材に設けられた第４のラッチ部材と、
前記第１の開閉部材に設けられた第５のラッチ部材と、
前記第５のラッチ部材と当接することで、前記第１の開閉部材における前記第２の位置から前記第１の位置への移動を規制する第４のストッパ部材と、
を備えたことを特徴とする現像装置。
【請求項１５】
請求項９〜１４のいずれか１項に記載の現像装置は、更に、
前記第２の位置において、前記第４のラッチ部材と前記第２の解除部との間に配置された前記第５のラッチ部材と、
前記外周に設けられた第２の解除部と、
を備え、
前記第５のラッチ部材は、
前記第２の解除部に押圧され、前記第４のラッチ部材を押圧し、前記第４のラッチ部材を前記第４のストッパ部材から解除することを特徴とする現像装置。
【請求項１６】
請求項９〜１５のいずれか１項に記載の現像装置は、更に、
前記収容部における前記第１の位置の側の一方の端部に設けられた突起部と、
前記現像装置本体に形成され、前記突起部が挿入される孔と、
前記収容部における前記第３の位置の側の他方の端部に設けられた凸部と、
前記現像装置本体に設けられ、前記凸部の移動を案内する案内部と、
を備えたことを特徴とする現像装置。
【請求項１７】
請求項４〜８のいずれか１項に記載の被装着装置は、
前記現像剤により現像対象画像を現像する現像装置本体であり、
請求項５記載の現像剤カートリッジと、
前記現像剤カートリッジが装着された前記現像装置本体と、
を備え、
前記第１のラッチ部材は、弾性部材で形成されており、
前記第１のストッパ部材の規制を解除するときの前記第１のラッチ部材の変形量よりも前記第３の位置における前記第１のラッチ部材の変形量が小さいことを特徴する現像装置。
【請求項１８】
現像剤を収容する収容部と、
前記収容部から前記現像剤を排出する排出口と、
前記排出口を開閉する第１の開閉部材と、
前記第１の開閉部材の前記収容部に対する移動を規制するロック部と、
前記ロック部の規制を解除するロック解除部と、
を備え、
前記第１の開閉部材は、
前記排出口を開放し、現像装置本体に対して固定する第１の位置と、
前記第１の位置と異なる位置であって、前記排出口を閉塞し、前記現像装置本体に対して着脱自在にする第２の位置と、
前記第１及び第２の位置と異なる位置であって、前記排出口を閉塞し、前記現像剤本体に対して固定する第３の位置と、
を有し、
前記第３の位置は、前記ロック部が前記ロック解除部からの外力を受けない位置であることを特徴とする現像装置。
【請求項１９】
現像剤を収容する収容部と、
前記収容部から前記現像剤を排出する排出口と、
前記排出口を開閉する第１の開閉部材と、
前記排出口から排出された前記現像剤を受け入れる受け入れ口と、
前記第１の開閉部材と連動して移動し、前記受け入れ口を開閉する第２の開閉部材と、
前記第２の開閉部材の移動を規制するロック部と、
前記ロック部の規制を解除するロック解除部と、
を備え、
前記第１の開閉部材は、
前記排出口を開放し、現像装置本体に対して固定する第１の位置と、
前記第１の位置と異なる位置であって、前記排出口を閉塞し、前記現像装置本体に対して着脱自在にする第２の位置と、
前記第１及び第２の位置と異なる位置であって、前記排出口を閉塞し、前記現像装置本体に対して固定する第３の位置と、
を有し、
前記ロック解除部は、
前記第１の開閉部材が前記第２の位置から前記第１の位置へと移動する過程において前記ロック部の規制を解除することを特徴とする現像装置。
【請求項２０】
請求項９〜１９のいずれか１項に記載の現像装置と、
前記現像装置により現像された現像対象画像を印刷媒体に形成する画像形成部と、
を備えたことを特徴とする画像形成装置。
【請求項２１】
前記第１の開閉部材に設けられ、前記現像剤カートリッジに関する情報を記憶する記憶部と、
前記情報を読み取る読み取り部と、
を備えたことを特徴とする請求項２０記載の画像形成装置。
【請求項２２】
前記読み取り部は、
前記第１の開閉部材が前記第１の位置のときに読み取り可能となることを特徴とする請求項２２記載の画像形成装置。
【請求項２３】
前記記憶部は、
電子タグ又は不揮発性メモリであることを特徴とする請求項２１又は２２記載の画像形成装置。
【請求項２４】
現像剤を収容する収容部と、
前記収容部から前記現像剤を排出する排出口と、
前記排出口を開閉する第１の開閉部材と、
を有する現像剤カートリッジを備えた現像装置であって、
前記第１の開閉部材は、
前記排出口を開放し、被装着装置に対して固定する第１の位置と、前記第１の位置と異なる位置であって、前記排出口を閉塞し、前記被装着装置に対して着脱自在にする第２の位置と、前記第１及び第２の位置と異なる位置であって、前記排出口を閉塞し、前記被装着装置に対して固定する第３の位置と、
を有することを特徴とする現像装置。
【請求項２５】
現像剤を収容する収容部と、
前記収容部から前記現像剤を排出する排出口と、
前記排出口を開閉する第１の開閉部材と、
を有する現像剤カートリッジを備えた画像形成装置であって、
前記第１の開閉部材は、
前記排出口を開放し、被装着装置に対して固定する第１の位置と、前記第１の位置と異なる位置であって、前記排出口を閉塞し、前記被装着装置に対して着脱自在にする第２の位置と、前記第１及び第２の位置と異なる位置であって、前記排出口を閉塞し、前記被装着装置に対して固定する第３の位置と、
を有することを特徴とする画像形成装置。